(57)【要約】      （修正有）【課題】ＳＳ７回線終端装置のＳＧ装置への機能縮退によって低コスト高性能を実現することができしかも既存のＳＧシステムとの混在も可能なＳＧ装置を提供する。【解決手段】ＳＧ装置１００にＳＳ７回線終端カード１１０を搭載し、ＳＳ７回線終端カード１１０のドライバＡＰＩ（Ａｐｐｌｉｃａｔｉｏｎ  Ｐｒｏｇｒａｍｍｉｎｇ  Ｉｎｔｅｒｆａｃｅ）とＳＧアプリケーション１４０間に、Ｉ／Ｆレイヤ１２０，１３０を実現することにより、ＳＳ７回線終端カード１１０を仮想的なＳＳ７回線終端装置と見立て、既存のＳＧシステムとの混在を可能としている。【選択図】図１
2008245154.tif 000002
【特許請求の範囲】
【請求項１】
ＳＳ７回線終端カードを搭載したことを特徴とするＳＧ装置。
【請求項２】
Ｉ／Ｆレイヤを実装してなる請求項１に記載のＳＧ装置。
【請求項３】
Ｉ／Ｆレイヤのみのカスタマイズで回線種の異なるＳＳ７回線終端カードの搭載に対応可能とした請求項１又は請求項２のいずれか一に記載のＳＧ装置。
【請求項４】
プリミティブマッピングレイヤを実装して備える請求項１乃至請求項３のいずれか一に記載のＳＧ装置。
【請求項５】
ＳＧ機能を搭載したＳＧ装置にＳＳ７回線終端カードを搭載してなることを特徴とするＳＧシステム。
【請求項６】
ＳＧ装置にＳＳ７回線終端カードを搭載する際に、Ｉ／Ｆレイヤを実装してなる請求項５に記載のＳＧシステム。
【請求項７】
ＳＳ７回線終端カードを搭載したＳＧ機能を搭載したＳＧ装置と、外部ＳＳ７回線終端装置とプリミティブによって通信が行われるＳＧ装置とを並存させてなる請求項５又は請求項６記載のＳＧシステム。
【請求項８】
Ｉ／Ｆレイヤのみのカスタマイズで回線種の異なるＳＳ７回線終端カードの搭載に対応可能とした請求項５乃至請求項７のいずれか一に記載のＳＧシステム。
【請求項９】
ＳＧ装置を２重化構成とした請求項５乃至請求項８のいずれか一に記載のＳＧシステム。
【請求項１０】
ＳＳ７回線終端カードを搭載したＳＧ装置にプリミティブマッピングレイヤを実装した請求項５乃至９のいずれか一に記載のＳＧシステム。
【請求項１１】
ＳＧ機能を搭載したＳＧ装置にＳＳ７回線終端カードを搭載することを特徴とするＳＳ７回線終端装置システムの実装方式。
【請求項１２】
ＳＳ７回線終端カードを搭載したＳＧ装置にＩ／Ｆレイヤを実装する請求項１１に記載のＳＳ７回線終端装置システムの実装方式。
【請求項１３】
ＳＳ７回線終端カードを搭載したＳＧ装置と外部ＳＳ７回線終端装置とプリミティブによって通信が行われるＳＧ装置とを並存させる請求項１１又は請求項１２記載のＳＳ７回線終端装置システムの実装方式。
【請求項１４】
Ｉ／Ｆレイヤのみのカスタマイズで回線種の異なるＳＳ７回線終端カードの搭載に対応可能とする請求項１１乃至請求項１３のいずれか一に記載のＳＳ７回線終端装置システムの実装方式。
【請求項１５】
ＳＧ装置を２重化構成とする請求項１１乃至請求項１４のいずれか一に記載のＳＳ７回線終端装置システムの実装方式。
【請求項１６】
ＳＳ７回線終端カードを搭載したＳＧ装置にプリミティブマッピングレイヤを実装することにより、外部ＳＳ７回線終端装置とプリミティブによって通信が行われるＳＧ装置を備えたＳＧシステムで適用されるＳＳ７回線終端装置とＳＧ装置間の通信方式を適用可能とする請求項１１乃至１５のいずれか一に記載のＳＳ７回線終端装置システムの実装方式。
【発明の詳細な説明】
【技術分野】
【０００１】
本発明は、ＳＧ装置及びＳＧシステム及びＳＳ７回線終端装置システムの実装方式に関する。
【背景技術】
【０００２】
既存のＳＧシステムを、図５を参照して説明する。
図５において、既存のＳＧシステムではＳＳ７信号網とＩＰ網との間での信号メッセージのゲートウェイ機能を有するＳＧ装置１００は、ＳＧ機能を実現するためのソフトウェア群により構成されるＳＧアプリケーション１４０を備え、プリミティブ１６０と呼ばれる信号メッセージによって外部装置であるＳＳ７回線終端装置１１５，１１６との間の通信が行われる。このＳＳ７回線終端装置１１５，１１６はＳＳ７網との間でＳＳ７信号を受発信する。
【０００３】
この既存のＳＧシステムではＳＧ装置１００及びＳＳ７回線終端装置１１５，１１６の個々にコスト負担が発生することから、昨今では、これらの分かれた装置を機能縮退し、低コストで高性能なＳＧシステムの構築が求められている。
【０００４】
特許文献１にはＳＳ７などの様々なプロトコルと通信可能な機能モジュール、ゲートウエイモジュールからなるネットワークアタ゛フ゜タ等を含み、シグナリンク゛ケ゛ートウエイシステムがＳＳ７回線を終端し、ケ゛ートウエイモジュールはＳＳ７上の入力メッセージをリッスンし、さらにモジュールが使用してインタフエース構成するインタフエースマネージャを有し、機能モジュールはネットワークインタフエース等のインタフエース層を有し、アプリケーションプログラミングインタフエース（ＡＰＩ）にもとづいて新サービスが開発されるむシグ゛ナリンク゛プロセス統合システム（ＴＡＰＳ１０）が開示される。このシグ゛ナリンク゛プロセス統合システム（ＴＡＰＳ１０）は様々なシステムＩＰネットワーク、電話網、ＩＮネットワーク、ハイブリッドネットワークと連携して動作可能であり、かつ新しいネットワークサービスが作成可能で、さらに様々なシステムのアップグレード行い、新しいサービスを通信ネットワークに追加し、通信ネットワークから受信したサービスを処理し、冗長性の処理を行ない、機能不良のモジュールを置きかえるソフトウェアによって実施される分散型のサービス統合システムが開示される。
【０００５】
特許文献２  にはＳＳ７はメッセーシ゛転送部分にアクセスされ、メッセージ転送部分はフ゜リミティブ゛を使用してインタフエースされ、メッセーシ゛転送部分レイヤはＳＳ７ユーサ゛部分と通信するためにプ゜リミティブを使用し、シグナリングリンク構成がメッセージ転送部分レイヤを介して提供される事が開示される。すなわちＳＳ７がプリミティフ゛をメッセージ転送部分にマッピングし、ＳＳ７がシグナリンク゛ケ゛ートウエイにプリミティブ（基本制御命令）マッピングレイヤを介して統合された高速ＳＳ７シグナリングアダプテーション装置が開示される。
【０００６】
特許文献３にはＥ２ＥＮＰ（エンドツーエンド交渉フ゜ロトコル）がセッション確立のためにインタフエースのプリミティフ゛をマッピングし、様々なフ゜リミティブを転送可能で、プ゜リミティフ゛を用いてアクセスの予約を行い、異なる機種が混在する環境でＥ２ＥＮＰをサポートしないアフ゜リケーションは固有の部分で動作でき、プリミティブマッピングを使用する事で異なる機種が混在する環境で相互運用可能通信システム通信システムが開示される。
【０００７】
【特許文献１】特表２００６−５０２４９３号公報
【特許文献２】特表２００２−５００４８９号公報
【特許文献３】特表２００６−５０４３６３号公報
【発明の開示】
【発明が解決しようとする課題】
【０００８】
しかし以上の従来の各ＳＧシステムでは、交換機に代表されるような全ての機能を一つの装置に集約した大型の装置による実装が主流であった。この様に、大型の装置は高価であり、処理能力・拡張性が低いという問題があった。
【０００９】
その後、それぞれの機能を装置ごとに分けることにより、柔軟なシステム構成を可能とするＳＧシステムが登場した。しかし、装置を分けることにより、拡張性は向上したが、装置ごとの購入・メンテナンスコストは低減されなかった。これらの背景から、昨今では、分けられた装置のいくつかをブレードサーバ装置に機能を縮退した、低コストで高性能な装置が求められている。
【００１０】
既存のＳＧシステムのシステム構成における問題について検討した場合には、既存のＳＧシステムでは、ＳＳ７回線終端装置を外部装置とするシステム構成であり、ＳＳ７回線終端装置とＳＧ装置が分かれていることにより、次のような問題が発生している。
すなわち第一に各装置が分かれていることにより装置個々に購入・メンテナンスコストがかかる。また第二に物理的な回線種が異なるシステム（ＴＤＭ：Ｔｉｍｅ  Ｄｉｖｉｓｉｏｎ  Ｍｕｌｔｉｐｌｅｘｉｎｇ／ＡＴＭ：Ａｓｙｎｃｈｒｏｎｏｕｓ  Ｔｒａｎｓｆｅｒ  Ｍｏｄｅ）では、その都度、ＳＳ７回線終端装置を購入する必要があり、コストと拡張性の面から問題がある。
【００１１】
本発明は、以上の従来技術における問題に鑑み、ＳＳ７回線終端装置のＳＧ装置への機能縮退によって低コスト高性能を実現することができしかも既存のＳＧシステムとの混在も可能なＳＧ装置及びＳＧシステム及びＳＳ７回線終端装置システムの実装方式を提供することを目的とする。
【課題を解決するための手段】
【００１２】
すなわち本発明のＳＧ装置は、ＳＳ７回線終端カードを搭載したことを特徴とする。
【００１３】
また本発明のＳＧシステムは、ＳＧ機能を搭載したＳＧ装置にＳＳ７回線終端カードを搭載してなることを特徴とする。
【００１４】
さらに本発明のＳＳ７回線終端装置システムの実装方式は、ＳＧ機能を搭載したＳＧ装置にＳＳ７回線終端カードを搭載することを特徴とする。
【００１５】
以上の本発明のＳＧ装置又はＳＧシステム又はＳＳ７回線終端装置システムの実装方式ではＳＳ７回線終端カードを搭載したＳＧ装置にＩ／Ｆレイヤを実装することができる。
【００１６】
以上の本発明のＳＧ装置又はＳＧシステム又はＳＳ７回線終端装置システムの実装方式ではＳＳ７回線終端カードを搭載したＳＧ装置と外部ＳＳ７回線終端装置とプリミティブによって通信が行われるＳＧ装置とを並存させることができる。
【００１７】
以上の本発明のＳＧ装置又はＳＧシステム又はＳＳ７回線終端装置システムの実装方式ではＩ／Ｆレイヤのみのカスタマイズで回線種の異なるＳＳ７回線終端カードの搭載に対応可能とすることができる。
【００１８】
以上の本発明のＳＧ装置又はＳＧシステム又はＳＳ７回線終端装置システムの実装方式ではＳＧ装置を２重化構成としてもよい。
【００１９】
以上の本発明のＳＧ装置又はＳＧシステム又はＳＳ７回線終端装置システムの実装方式ではＳＳ７回線終端カードを搭載したＳＧ装置にプリミティブマッピングレイヤを実装することにより、外部ＳＳ７回線終端装置とプリミティブによって通信が行われるＳＧ装置を備えたＳＧシステムで適用されるＳＳ７回線終端装置とＳＧ装置間の通信方式を適用可能とすることができる。
【００２０】
［作用］
本発明のＳＧ装置及びＳＧシステム及びＳＳ７回線終端装置システムの実装方式によれば、ＳＳ７回線終端装置をＳＧ装置に機能縮退したため、ＳＧ装置内でＳＳ７網とＩＰ網が終端し、さらにプリミティブマッピングレイヤを実装することで、既存のＳＧシステムで用いられていたＳＳ７回線終端装置とＳＧ装置間の通信方式を変更することなく、機能縮退ができる。
【発明の効果】
【００２１】
本発明のＳＧ装置及びＳＧシステム及びＳＳ７回線終端装置システムの実装方式によれば、ＳＳ７回線終端装置をＳＧ装置に機能縮退したため、装置にかかる購入・メンテナンスコストを低減することができ、既存のＳＧシステムとの混在にも柔軟に対応できる。
【発明を実施するための最良の形態】
【００２２】
図１は本発明の実施の形態に係るＳＧ装置を示すブロック図、図２は本発明の実施の形態に係るＳＧ装置を用いたＳＧシステムのノード構成図、図３は本発明の実施の形態に係るＳＧ装置の動作を示すシーケンス図、図４は本発明を適用した他の実施の形態のＳＧシステムの構成を示すブロック図であり、各図において同一部分には同一符号を付している。
【００２３】
本発明のＳＧ装置及びＳＧシステム及びＳＳ７回線終端装置システムの実装方式はＳＧ（Ｓｉｇｎａｌｉｎｇ  Ｇａｔｅｗａｙ）システムを構成するＳＳ７（Ｓｉｇｎａｌｉｎｇ  Ｓｙｓｔｅｍ  Ｎｏ．７）回線終端装置を、信号メッセージのゲートウェイ機能を具備するＳＧ装置に機能縮退する際に、ＳＧ装置とＳＳ７回線終端カード間のＩ／Ｆ（Ｉｎｔｅｒｆａｃｅ）を実現することにより、ＳＳ７回線終端カードを仮想的なＳＳ７回線終端装置と見立てることを特徴としている。
【００２４】
図１に本発明を適用した一実施の形態の構成を示す。
図１において、ＳＧ機能を具備したＳＧ装置１００は、ＳＳ７回線終端カード１１０と、プリミティブマッピングレイヤ１２０と、ＳＳ７回線終端カードＩ／Ｆレイヤ１３０と、ＳＧアプリケーション１４０で構成されている。
ＳＧ装置１００は、ブレードサーバ装置などの装置により実現され、ＳＳ７信号網とＩＰ網との間での信号メッセージのゲートウェイ機能を有する。
ＳＳ７回線終端カード１１０は、ＳＳ７インターフェース機能を有したＰＣＩなどのカード規格準拠したカード装置である。
【００２５】
プリミティブマッピングレイヤ１２０は、プリミティブ１６０とＳＳ７回線終端カードＩ／Ｆレイヤ１３０のＡＰＩ（Ａｐｐｌｉｃａｔｉｏｎ  Ｐｒｏｇｒａｍ  Ｉｎｔｅｒｆａｃｅ）間のマッピング機能を有する。
ＳＳ７回線終端カードＩ／Ｆレイヤ１３０は、プリミティブマッピングレイヤ１２０から自ＡＰＩが実行されることによりＳＳ７回線終端カード１１０のドライバＡＰＩを実行する機能を有する。
【００２６】
ＳＧアプリケーション１４０は、ＳＧ機能を実現するためのソフトウェア群により構成されている。これらのソフトウェア群により、ＳＳ７信号網とＩＰ網間の信号メッセージのゲートウェイ機能を実現する。
なお、ＳＧ装置１００は本図では１台で記載しているが、本発明により、ＳＧ装置にＳＳ７回線終端機能を縮退させたことにより、ＳＧ装置１００を１ノードとして取り扱えることから、これらが複数で構成された場合においても、本発明を容易に実施できるというのは当該技術分野における通常の知識を持つ者には明らかである。
【００２７】
図１においてＳＧ装置１００にＳＳ７回線終端カード１１０を搭載し、ＳＳ７回線終端カード１１０のドライバＡＰＩ（Ａｐｐｌｉｃａｔｉｏｎ  Ｐｒｏｇｒａｍｍｉｎｇ  Ｉｎｔｅｒｆａｃｅ）とＳＧアプリケーション１４０間に、Ｉ／Ｆレイヤ１２０，１３０を実現することにより、ＳＳ７回線終端カード１１０を仮想的なＳＳ７回線終端装置と見立て、既存のＳＧシステムとの混在を可能としている。
【００２８】
図１においてＳＳ７回線終端カード１１０はＳＳ７インターフェース機能を有したＰＣＩ（Ｐｅｒｉｐｈｅｒａｌ  Ｃｏｍｐｏｎｅｎｔ  Ｉｎｔｅｒｃｏｎｎｅｃｔ）などの規格に準拠したカード装置である。このＳＳ７回線終端カード１１０をＳＧ装置に搭載することにより、ＳＳ７回線終端カード１１０を仮想的なＳＳ７回線終端装置として見立てることを可能とし、ＳＧシステムの機能縮退を実現する。
【００２９】
このように、既存のＳＧシステムにおいて、分かれていた２つの装置を１つの装置に機能縮退することにより、購入・メンテナンスコストを抑えることができる。また、ＳＳ７回線終端カード１１０は比較的安価で装置への搭載が容易である為、回線種が異なるシステムにおける問題についても、コストと拡張性の面から問題を解決することができる。
【００３０】
次にＳＳ７回線終端カード１１０のドライバＡＰＩとＳＧ装置１００のＳＧアプリケーション１４０間のＩ／Ｆについて説明する。
図５に示す既存のＳＧシステムでは、ＳＳ７回線終端装置１１５，１１６とＳＧ装置１００間の通信に、プリミティブ１６０と呼ばれる信号メッセージを用いている。この既存の通信方式を変更することなく、機能縮退を実現するためにＳＧ装置１００内に、プリミティブマッピングレイヤ１２０とＳＳ７回線終端カードＩ／Ｆレイヤ１３０の２つのレイヤをソフトウェアアプリケーションで実装する。
【００３１】
この様に２つのレイヤを実装することにより、既存の通信方式を変更することなく、ＳＳ７回線終端カード１１０とＳＧ装置１００間のＩ／Ｆを実現することができる。また、プリミティブマッピングレイヤ１２０とＳＳ７回線終端カードＩ／Ｆレイヤ１３０間のＡＰＩを統一することにより、回線種の異なるＳＳ７回線終端カード１１０を搭載する際に、ＳＳ７回線終端カードＩ／Ｆレイヤ１３０のみのカスタマイズで対応可能である。
【００３２】
このように、本発明のＳＳ７回線終端装置の機能縮退の実装方式を、ＳＧ装置に適用することにより、回線種に依存しないシステム構成が可能となり、既存ＳＧシステムとの混在を考えたときも、ＳＧ装置内でＳＧシステムが包括されるため、柔軟に対応することができる。
【００３３】
既存のＳＧシステムと、本発明を適用したＳＧシステムが混在する場合の例を図２のノード構成図を用いて説明する。
同一シャーシ２２０に、既存ＳＧシステム２００と本発明を適用したＳＧシステム２１０が混在して搭載されている場合、それぞれのＳＧシステムは枠で囲ったように、独立した１つのノードとして扱われるため、既存ＳＧシステム２００が搭載されたシャーシ２２０に、本発明を適用したＳＧシステム２１０を追加搭載しても影響はない。これは、それぞれの枠で囲ったＳＧシステム内で、ＳＳ７網とＩＰ網がそれぞれ終端しているためである。また、図ではＳＧシステム内のＳＧ装置を２重化構成で記載しているが、１重化構成であっても本発明が適用可能である事は、当該技術分野における通常の知識を持つ者には明らかである。
【００３４】
図３に、本発明を適用したＳＧ装置の動作をシーケンス図で示す。
ＳＳ７網へＳＳ７信号を送信開始する時、まずＳＧアプリケーション１４０から送信されたプリミティブ１６０をプリミティブマッピングレイヤ１２０にて受信する（ステップ３０１）。プリミティブ１６０を受信したプリミティブマッピングレイヤ１４０は、受信したプリミティブ１６０をＳＳ７回線終端カードＩ／Ｆレイヤ１３０のＡＰＩにマッピングし、ＡＰＩを実行する（ステップ３０２）。
【００３５】
ＳＳ７回線終端カードＩ／ＦレイヤのＡＰＩを実行することにより、ＳＳ７信号がＳＳ７回線終端カードＩ／Ｆレイヤに送信される（ステップ３０３）。ＳＳ７信号を受信したＳＳ７回線終端カードＩ／Ｆレイヤは、ＳＳ７回線終端カードの信号送信のドライバＡＰＩを実行し（ステップ３０４）、ＳＳ７信号をＳＳ７回線終端カードのドライバへ送信する（ステップ３０５）。ＳＳ７信号を受信したＳＳ７回線終端カードのドライバは、受信したＳＳ７信号をＳＳ７網へ送信し、ＳＳ７網へのＳＳ７信号の送信が完了する（ステップ３０６）。
【００３６】
次に、ＳＳ７網からのＳＳ７信号の受信処理の動作を説明する。まず、プリミティブマッピングレイヤは、ＳＳ７回線終端カードＩ／ＦレイヤのＳＳ７信号受信ＡＰＩを実行する（ステップ３１１）。ＡＰＩを実行されたＳＳ７回線終端カードＩ／Ｆレイヤは、ＳＳ７回線終端カードのドライバのＳＳ７信号受信ＡＰＩを実行する（ステップ３１２）。ＳＳ７網からのＳＳ７信号をＳＳ７回線終端カードのドライバが受信した場合（ステップ３１３）、受信したＳＳ７信号をＳＳ７回線終端カードＩ／Ｆレイヤへ送信する（ステップ３１４）。
【００３７】
ＳＳ７信号を受信したＳＳ７回線終端カードＩ／Ｆレイヤは、そのＳＳ７信号をプリミティブマッピングレイヤへ送信する（ステップ３１５）。そして、ＳＳ７信号を受信したプリミティブマッピングレイヤは、そのＳＳ７信号をプリミティブにマッピングし（ステップ３１６）、ＳＧアプリケーションへ送信する（ステップ３１７）。以上のステップ３１１〜３１７を周期的に実行することにより、ＳＳ７網からのＳＳ７信号の受信処理を実現する。
【００３８】
前記の発明の実施の形態には、ＳＳ７回線終端装置をＳＧ装置内に機能縮退することにより、本発明を適用したＳＧシステムと、既存のＳＧシステムとの混在に柔軟に対応可能であることについて、説明した。
他の実施の形態として、ＳＧ装置に搭載するＳＳ７回線終端カードの回線種が異なる場合の実施の形態について以下に説明する。
【００３９】
図４に本発明を適用した他の実施の形態の構成を示す。図４のノード構成図を用いて異なる回線種のＳＳ７回線終端カードを搭載した複数のＳＧ装置が同一シャーシ内で混在した場合の例を説明する。
図４において、ＳＧ装置４００は、ＳＳ７回線終端カード（ＴＤＭ用）４０１と、プリミティブマッピングレイヤ４０２と、ＳＳ７回線終端カードＩ／Ｆレイヤ（ＴＤＭ用）４０３と、ＳＧアプリケーション４０４で構成されている。また、ＳＧ装置４５０は、ＳＳ７回線終端カード（ＡＴＭ用）４５１と、プリミティブマッピングレイヤ４５２と、ＳＳ７回線終端カードＩ／Ｆレイヤ（ＡＴＭ用）４５３と、ＳＧアプリケーション４５４で構成されている。
【００４０】
ＳＧ装置４００，４５０と、プリミティブマッピングレイヤ４０２，４５２と、ＳＧアプリケーション４０４，４５４は、前述の実施の形態と同様である。
ＳＳ７回線終端カード（ＴＤＭ用）４０１は、ＴＤＭの回線種に対応したＳＳ７回線終端カードである。
ＳＳ７回線終端カード（ＡＴＭ用）４５１は、ＡＴＭの回線種に対応したＳＳ７回線終端カードである。
ＳＳ７回線終端カードＩ／Ｆレイヤ（ＴＤＭ用）４０３は、プリミティブマッピングレイヤ４０２から自ＡＰＩが実行されることによりＳＳ７回線終端カード（ＴＤＭ用）４０１のドライバＡＰＩを実行する機能を有する。
【００４１】
ＳＳ７回線終端カードＩ／Ｆレイヤ（ＡＴＭ用）４５３は、プリミティブマッピングレイヤ４５２から自ＡＰＩが実行されることによりＳＳ７回線終端カード（ＡＴＭ用）４５１のドライバＡＰＩを実行する機能を有する。
【００４２】
回線種ＴＤＭに対応したＳＳ７回線終端カード４０１を搭載したＳＧ装置４００と、回線種ＡＴＭに対応したＳＳ７回線終端カード４５１を搭載したＳＧ装置４５０が同一シャーシ４８０内に混在し、それぞれの装置は独立したノードとして扱われるため、回線種が異なっていても、それぞれで干渉は起こらず混在が可能である。
【００４３】
また、ＳＧ装置内の実装については、プリミティブマッピングレイヤとＳＳ７回線終端カードＩ／Ｆレイヤ間のＡＰＩを統一していることから、ＳＳ７回線終端カードの対応回線種によりカスタマイズが必要なものは、ＳＳ７回線終端カードＩ／Ｆレイヤのみとなり、容易に多様な回線種のＳＧに対応可能である。
図４に示す様に、ＳＳ７回線終端カード（ＴＤＭ用）４０１の搭載時には、ＳＳ７回線終端カードＩ／ＦレイヤをＴＤＭ用４０３にカスタマイズするだけで対応可能である。
【００４４】
以上の実施の形態のＳＧ装置及びＳＧシステム及びＳＳ７回線終端装置システムの実装方式によればＳＧ装置に異なる回線種に対応したＳＳ７回線終端カードを搭載し、それらの装置が同一シャーシ内に混在した場合、装置間で干渉を起こすことなく混在が可能である。
【００４５】
またＳＧ装置に異なる回線種に対応したＳＳ７回線終端カードを搭載する際に、プリミティブマッピングレイヤとＳＳ７回線終端カードＩ／Ｆレイヤ間のＡＰＩを統一することで、カスタマイズはＳＳ７回線終端カードＩ／Ｆレイヤのみとなり、容易に多様な回線種のＳＧに対応することが可能である。
【図面の簡単な説明】
【００４６】
【図１】本発明の実施の形態に係るＳＧ装置を示すブロック図
【図２】本発明の実施の形態に係るＳＧシステムのノード構成図
【図３】本発明の実施の形態に係るＳＧ装置の動作を示すシーケンス図
【図４】本発明を適用した他の実施の形態のＳＧシステムの構成を示すブロック図。
【図５】従来のＳＧシステムを示すブロック図
【符号の説明】
【００４７】
１００，４００，４５０・・・ＳＧ装置、１１０・・・ＳＳ７回線終端カード、１２０，４０２，４５２・・・プリミティブマッピングレイヤ、１３０・・・ＳＳ７回線終端カードＩ／Ｆレイヤ・・・、１４０，４０４，４５４・・・ＳＧアプリケーション、１６０・・・プリミティブ、１１５，１１６・・・ＳＳ７回線終端装置、２００，２１０・・・ＳＧシステム、２２０・・・シャーシ、４０１・・・ＳＳ７回線終端カード（ＴＤＭ用）、４０３・・・ＳＳ７回線終端カードＩ／Ｆレイヤ（ＴＤＭ用）、４５１・・・ＳＳ７回線終端カード（ＡＴＭ用）、４５３・・・ＳＳ７回線終端カードＩ／Ｆレイヤ（ＡＴＭ用）。
【図１】
2008245154.tif 000003
【図２】
2008245154.tif 000004
【図３】
2008245154.tif 000005
【図４】
2008245154.tif 000006
【図５】
2008245154.tif 000007